(57)【要約】 【課題】  突上げられる折丁の搬送ラインとの摺擦，引掛による損傷を防止する。【解決手段】  エンドレス状に配設されて移動するチェーン１に折丁Ａ，Ｂを逆Ｖ字形に支える支持プレート３と折丁Ａ，Ｂの端部に当接されるプッシャプレート４とが取付けられてなる。プッシャプレート４は、搬送方向の上流側に傾倒可能である。【選択図】        図１
2005112572.tif 000002
【特許請求の範囲】
【請求項１】
エンドレス状に配設されて移動するチェーンに折丁を逆Ｖ字形に支える支持プレートと折丁の端部に当接されるプッシャプレートとが取付けられてなる折丁搬送装置において、プッシャプレートは搬送方向の上流側に傾倒可能であることを特徴とする折丁搬送装置。
【請求項２】
請求項１の折丁搬送装置において、プッシャプレートは搬送方向に位相して大きさの異なる折丁の端部にそれぞれ当接される２つの当接面を備えていることを特徴とする折丁搬送装置。
【請求項３】
請求項２の折丁搬送装置において、プッシャプレートの２つの当接面は位相間隔を調整可能であることを特徴とする折丁搬送装置。
【請求項４】
請求項２または３の折丁搬送装置において、搬送方向の下流側に位置するプッシャプレートの１つの当接面の一部は支持プレートに形成された溝に侵入されていることを特徴とする折丁搬送装置。
【発明の詳細な説明】
【技術分野】
【０００１】
本発明は、週刊誌，パンフレット等の中綴製本を製造するシステムに組込まれる折丁搬送装置に係る技術分野に属する。
【背景技術】
【０００２】
現在、中綴製本を製造するシステムでは、高速化，自動化の要請から装置規模が大型化する傾向にある。このため、中綴製本を構成する折丁の搬送ラインを中途で方向変換することで、設置床面積を低減することが試みられるている。
【０００３】
また、最近の中綴製本では、付録の添付等のように大きさの異なる折丁を積層することが多くなってきている。このため、搬送ラインに大きさの異なる折丁を位置ずれさせることなく搬送する構成が付加されるようになってきている。
【０００４】
従来、搬送ラインを中途で方向変換する折丁搬送装置としては、例えば、以下に記載のものが知られている。
【特許文献１】特開２０００−２１８９５７号公報  特許文献１には、ステッチングの終了した折丁を上方へ突上げて直交する他の搬送ライン（断裁装置に延びている）に送込むように構成した折丁搬送装置が記載されている。搬送ラインは、エンドレス状に配設されて移動するチェーンに折丁を逆Ｖ字形に支える支持プレートと折丁の端部に当接されるプッシャプレートとが取付けられてなる。
【０００５】
従来、大きさの異なる折丁を位置ずれさせることなく搬送する構成が付加された折丁搬送装置としては、例えば、以下に記載のものが知られている。
【特許文献２】特許第２６８５３８５号公報  特許文献２には、搬送ラインに大きさの異なる折丁にそれぞれ当接する部材を備えた折丁搬送装置が記載されている。搬送ラインは、特許文献１に係る折丁搬送装置と基本的に同じである。
【発明の開示】
【発明が解決しようとする課題】
【０００６】
特許文献１に係る折丁搬送装置では、突上げられる折丁が搬送ラインと摺擦，引掛して損傷することがあるという問題点がある。特に、特許文献１に係る折丁搬送装置に特許文献２に係る折丁搬送装置を適用しようとすると、突上げられる折丁が大きさの異なる折丁にそれぞれ当接させるために複雑化した部材と摺擦，引掛してしまうため、損傷がさらに激しくなるという問題点がある。
【０００７】
本発明は、このような問題点を考慮してなされたもので、突上げられる折丁の搬送ラインとの摺擦，引掛による損傷を防止することのできる折丁搬送装置を提供することを課題とする。
【課題を解決するための手段】
【０００８】
前述の課題を解決するため、本発明に係る折丁搬送装置は、特許請求の範囲の各請求項に記載の手段を採用する。
【０００９】
即ち、請求項１では、エンドレス状に配設されて移動するチェーンに折丁を逆Ｖ字形に支える支持プレートと折丁の端部に当接されるプッシャプレートとが取付けられてなる折丁搬送装置において、プッシャプレートは搬送方向の上流側に傾倒可能であることを特徴とする。
【００１０】
この手段では、突上げられる折丁が最も摺擦，引掛しやすいプッシャプレートを傾倒させることで、突上げられる折丁からプッシャプレートを離間させる。
【００１１】
また、請求項２では、請求項１の折丁搬送装置において、プッシャプレートは搬送方向に位相して大きさの異なる折丁の端部にそれぞれ当接される２つの当接面を備えていることを特徴とする。
【００１２】
この手段では、プッシャプレートに特許文献２に係る折丁搬送装置の構成が追加される。
【００１３】
また、請求項３では、請求項２の折丁搬送装置において、プッシャプレートの２つの当接面は位相間隔を調整可能であることを特徴とする。
【００１４】
この手段では、折丁の大きさの変動に対応して当接面の位相間隔を調整することができる。
【００１５】
また、請求項４では、請求項２または３の折丁搬送装置において、搬送方向の下流側に位置するプッシャプレートの１つの当接面の一部は支持プレートに形成された溝に侵入されていることを特徴とする、。
【００１６】
この手段では、下流側の１つの当接面と支持プレートとを溝を介して交差させることで、下流側の１つの当接面と支持プレートとの間に隙間が形成されるのを防止する。
【発明の効果】
【００１７】
本発明に係る折丁搬送装置は、突上げられる折丁が最も摺擦，引掛しやすいプッシャプレートを傾倒させることで、突上げられる折丁からプッシャプレートを離間させるため、突上げられる折丁の搬送ラインとの摺擦，引掛による損傷を防止することができる効果がある。
【００１８】
また、請求項２として、プッシャプレートに大きさの異なる折丁にそれぞれ当接する部材を備えるという特許文献２に係る折丁搬送装置の構成が追加された場合でも、突上げられる折丁からプッシャプレートを離間させ、突上げられる折丁の搬送ラインとの摺擦，引掛による損傷を防止することができる効果がある。
【００１９】
また、請求項３として、折丁の大きさの変動に対応して当接面の位相間隔を調整することができるため、汎用性が高くなる効果がある。
【００２０】
また、請求項４として、下流側の１つの当接面と支持プレートとを溝を介して交差させることで、下流側の１つの当接面と支持プレートとの間に隙間が形成されるのを防止するため、折丁の突上げの際や折丁の他の取扱いの際に折丁が下流側の１つの当接面と支持プレートとの間に挟込まれるのを確実に防止することができる効果がある。
【発明を実施するための最良の形態】
【００２１】
以下、本発明に係る折丁搬送装置を実施するための最良の形態を図面に基づいて説明する。
【００２２】
この形態は、図１〜図３に示すように、エンドレス状（上側（往路側）の一部のみ図示）に配設されて移動する平行な２列のローラ形のチェーン１を備えている。このチェーン１は、折丁Ａ，Ｂの荷重等で弛みが生じることがないように、エンドレス状の上側でガイド２により下支えされている。
【００２３】
チェーン１には、折丁Ａ，Ｂを逆Ｖ字形に支えるために上方へ向けて内側に傾斜した支持プレート３が取付けられている。この支持プレート３は、チェーン１の下側（復路側）への方向変換に対して円滑に追従されるように、ローラ形のチェーン１の１要素ごとに配置されて並列されている。
【００２４】
また、チェーン１には、折丁Ａ，Ｂの端部（天または地）に当接されるプッシャプレート４が取付けられている。このプッシャプレート４は、並列された支持プレート３を一定間隔ごとに２枚取外して、ローラ形のチェーン１の１要素に配置された格好になっている。従って、プッシャプレート４に隣接した残るローラ形のチェーン１の１要素（上流側）には、支持プレート３，プッシャプレート４のいずれもが取付けられていない状態になっている。
【００２５】
プッシャプレート４は、図５に詳細に示されるように、側面４ａがほぼ台形で正面４ｂがほぼＬ字形に形成され、側面４ａの下側の側部寄り（下流側）がチェーン１に回動可能に支持されている。側面４ａの下側の側部寄り（下流側）には、チェーン１の１要素の１つの軸に固定された支持軸５に嵌合される軸受４ｃが設けられている。軸受４ｃには、チェーン１の１要素の他の１つの軸に固定されたストッパ軸６に選択的に当接する２つのストッパ片４ｄ，４ｅがほぼ９０度の角度を介して延びている。軸受４ｃに挿通された支持軸５は、抜止ワッシャ７で側面４ａに抜止めされている。側面４ａのさらに下側の側部寄り（上流側）には、ベアリングを内蔵したローラ４ｆが取付けられている。ローラ４ｆは、図５（Ａ）に示すように、ガイド２に沿って配設されたレール８の上を転動走行して、１つのストッパ片４ｄをストッパ軸６に当接させてプッシャプレート４の全体を起立した状態に保持する。正面４ｂは、相対的に大きな折丁Ａの端部に当接される１つの当接面となっている。正面４ｂの上側の中央寄りには、ネジ４ｇがナット４ｈで取付けられている。ネジ４ｇの頭部は、円盤形に形成されて頂面４ｉが相対的に小さな折丁Ｂの端部に当接される１つの当接面となっている。
【００２６】
相対する支持プレート３，プッシャプレート４の間には、ガイド２，レール８を共通に支持するベース９から立上げられて折丁Ａ，Ｂの折線に当接する支持フレーム１０が固定されている。
【００２７】
また、プッシャプレート４に隣接した支持プレート３には、起立したプッシャプレート４のネジ４ｇの頭部が侵入される溝１１が切欠き形成されている。
【００２８】
この形態によると、図１，図２に示すように、折丁Ａ，Ｂの端部に当接されるプッシャプレート４の当接面である正面４ｂ，頂面４ｉが搬送方向に位相しているため、相対的に小さな折丁Ｂを相対的に大きな折丁Ａの内部に収容した状態で搬送することができる。なお、正面４ｂ，頂面４ｉが搬送方向の位相間隔Ｓは、ネジ４ｇ，ナット４ｈの回動で調整することが可能である。従って、様々な大きさの折丁Ａ，Ｂに対応することができる汎用性を備えている。
【００２９】
相対的に小さな折丁Ｂの搬送では、折丁Ｂへの当接面である頂面４ｉがかなり狭い面積となっているが、ネジ４ｇの頭部が隣接する支持プレート３の溝１１に侵入され、当接面と支持プレート３とが溝１１を介して交差され隙間が形成されるのを防止しているため、折丁Ｂがネジ４ｇ付近に挟込まれることはない。
【００３０】
搬送ラインが方向変換される機種では、該方向変換位置に折丁Ａ，Ｂを突上げる突上機構（図示せず）が設置されている。このため、この位置には、支持フレーム１０が除去されている。また。この形態では、この位置でレール８をも除去している。従って、この位置では、プッシャプレート４のローラ４ｆがレール８から外れ自重により回転して搬送方向の上流側に傾倒することになる。なお、図５（Ｂ）に示すように傾倒したプッシャプレート４の他の１つのストッパ片４ｅがストッパ軸６に当接するため、プッシャプレート４が必要以上に傾倒することはない。また、プッシャプレート４に隣接したチェーン１の１要素（上流側）に支持プレート３，プッシャプレート４のいずれもが取付けられていない状態であるため、プッシャプレート４の傾倒に障害物は存在していない。
【００３１】
プッシャプレート４の傾倒は、折丁Ａ，Ｂの端部からのプッシャプレート４の離間をもたらすことになる。このため、突上げられる折丁Ａ，Ｂとプッシャプレート４（正面４ｂ，頂面４ｉ）との摺擦，引掛が回避され、折丁Ａ，Ｂの損傷が防止される。
【００３２】
図４には、折丁Ａ，Ｂを特開平９−１９３５６４号公報に記載の技術で搬送する場合を示している。
【００３３】
即ち、相対的に大きな折丁Ａは、支持プレート３，支持フレーム１０に支持された状態から、逆Ｖ字形の上昇用ガイド１２に案内されて上昇する。このとき、プッシャプレート４の正面４ｂの折丁Ａの端部への当接は維持される。上昇した相対的に大きな折丁Ａに対しては、逆方向から搬送された相対的に小さな折丁Ｂが潜込まされて支持プレート３，支持フレーム１０に支持された状態になる。このとき、プッシャプレート４の頂面４ｉが折丁Ｂの端部に当接する。この後、図示しない降下用ガイドに案内されまたは上昇用ガイド１２の除去により、相対的に大きな折丁Ａが相対的に小さな折丁Ｂの上に降下して図３に示す状態となる。この搬送ラインの構成は、相対的に大きな折丁Ａをステッチングして折丁Ａ，Ｂを糊付けする場合に適用されるが、前述の折丁Ａ，Ｂの突上げに関連する作用，効果に何等支障を及ぼすものではない。なお、図中１３は、折丁Ａの開き状態を支承するガイド棒である。
【００３４】
この折丁Ａ，Ｂの搬送では、上昇した相対的に大きな折丁Ａに対して逆方向から搬送された相対的に小さな折丁Ｂが潜込まされる勢いでプッシャプレート４の頂面４ｉに衝突することになる。然しながら、当接面（頂面４ｉ）と支持プレート３とが溝１１を介して交差され隙間が形成されるのを防止しているため、折丁Ｂがネジ４ｇ付近に挟込まれることはない。
【００３５】
以上、図示した形態の外に、折丁Ａ，Ｂの突上げ以外の場合に、プッシャプレート４を傾倒させて折丁Ａ，Ｂとプッシャプレート４（正面４ｂ，頂面４ｉ）との摺擦，引掛を回避させることもできる。
【００３６】
さらに、プッシャプレート４の当接面（正面４ｂ）が１つのみの場合でも有効に機能する。
【図面の簡単な説明】
【００３７】
【図１】本発明に係る折丁搬送装置を実施するための最良の形態を示す側面図である。
【図２】図１の要部の拡大図である。
【図３】図２の縦断面図である。
【図４】図３の搬送経路の他の位置における構成例を示す図である。
【図５】図１の要部の動作を示す一部切除した拡大図である。
【符号の説明】
【００３８】
１            チェーン
３            支持プレート
４            プッシャプレート
４ｂ          正面（当接面）
４ｉ          頂面（当接面）
Ａ，Ｂ        折丁
【図１】
2005112572.tif 000003
【図２】
2005112572.tif 000004
【図３】
2005112572.tif 000005
【図４】
2005112572.tif 000006
【図５】
2005112572.tif 000007